(57)【要約】【課題】色見本を簡単に着脱することができ、必要に応じて色見本を交換できる見本用の棒状化粧料容器を提供する。【解決手段】本発明の棒状化粧料容器は色見本および本体からなり、前記色見本は前記本体の上部に着脱可能に取り付けられており、前記色見本は色見本部および接続部からなり、前記接続部の外側面には、垂直方向に延伸する垂直部、および前記垂直部の上端から水平方向へと延伸する水平部からなる切欠き部が設けられ、前記本体は、内部に円柱状の空間を有し、前記本体の内側面には凸部が設けられており、前記凸部を前記垂直部に挿入し、前記色見本または前記本体を回転させて前記凸部を前記水平部へと移動させると、前記色見本が前記本体に固定される。【選択図】図１
2018153233.tif 000002
【特許請求の範囲】
【請求項１】
色見本および本体からなる棒状化粧料容器であって、
前記色見本は、前記本体の上部に着脱可能に取り付けられており、
前記色見本は、色見本部、および、前記色見本部の下端に設けられた接続部からなり、
前記接続部は円筒形状の外側面を有し、前記外側面には、前記外側面の下端から垂直方向に延伸する垂直部、および前記垂直部の上端から水平方向へと延伸する水平部からなる切欠き部が設けられ、
前記本体は、内部の少なくとも上部に円柱状の空間を有し、前記円柱状の空間を形成する内側面には、前記円柱状の空間に向かって突出する凸部が設けられており、
前記本体の凸部を前記色見本の切欠き部の垂直部に挿入し、前記色見本または前記本体を回転させて、前記凸部を前記切欠き部の水平部へと移動させると、前記色見本が前記本体に固定されることを特徴とする棒状化粧料容器。
【請求項２】
前記本体の凸部を、前記色見本の接続部の切欠き部の水平部内に保持するために、前記水平部の垂直方向の幅を部分的に狭くした保持部が設けられていることを特徴とする請求項１に記載の棒状化粧料容器。
【請求項３】
前記色見本は、前記色見本部と前記接続部との間に、外周が前記接続部の外側面より外側に突出している鍔部が設けられ、
前記色見本が前記本体に固定された時、前記鍔部は前記本体の上端に載置されていることを特徴とする請求項１または２に記載の棒状化粧料容器。
【請求項４】
前記色見本は、前記色見本部と前記接続部との間に、外周が前記接続部の外側面より外側に突出している鍔部が設けられ、
前記本体の内側面の上端に環状の段差が設けられ、
前記色見本が前記本体に固定された時、前記鍔部は前記本体の段差に載置されていることを特徴とする請求項１または２に記載の棒状化粧料容器。
【請求項５】
前記棒状化粧料容器を繰り出し容器に固定するために、前記本体の下部にも円柱状の空間が形成され、前記円柱状の空間を形成する円形の内側面に、固定手段が設けられていることを特徴とする請求項１〜４のいずれか１項に記載の棒状化粧料容器。
【発明の詳細な説明】
【技術分野】
【０００１】
本発明は、店頭に口紅などの棒状化粧料の色見本として展示される棒状化粧料容器に関する。
【背景技術】
【０００２】
口紅などの棒状化粧料の色見本を店頭で展示する際に、テスター品を見本用の棒状化粧料容器に取り付けたものを展示台に並べたものがある（特許文献１参照）。このような見本用の棒状化粧料容器を、棒状化粧料の色数に合わせて用意することで、使用者に棒状化粧料にどのような色があるのか一目でわかり、その中から好みの色の棒状化粧料を選択することができる。
【先行技術文献】
【特許文献】
【０００３】
【特許文献１】特開２０００−１６６６４５号公報
【特許文献２】実開平７−３６９２９号公報
【発明の概要】
【発明が解決しようとする課題】
【０００４】
棒状化粧料の色数は増加しており、また、流行に合わせて次々と新色が登場している。従来の見本用の棒状化粧料容器の場合、色見本が見本用の棒状化粧料容器の本体に固定されているため、新色の棒状化粧料が出る毎に、新色の見本用の棒状化粧料容器を新たに製造する必要があり、手間とコストがかかっていた。これは、従来の見本用の棒状化粧料容器では、色見本を着脱可能とすることが想定されておらず、容器の本体に爪を用いて固定する構造（特許文献１）、あるいは、嵌入して固定する構造（特許文献２）が用いられているためである。
【０００５】
そこで、本発明は、色見本を簡単に着脱することができ、必要に応じて色見本を交換できる見本用の棒状化粧料容器を提供することを目的とする。
【課題を解決するための手段】
【０００６】
本発明の棒状化粧料容器は、色見本および本体からなり、前記色見本は、前記本体の上部に着脱可能に取り付けられており、前記色見本は、色見本部、および、前記色見本部の下端に設けられた接続部からなり、前記接続部は円筒形状の外側面を有し、前記外側面には、前記外側面の下端から垂直方向に延伸する垂直部、および前記垂直部の上端から水平方向へと延伸する水平部からなる切欠き部が設けられ、前記本体は、内部の少なくとも上部に円柱状の空間を有し、前記円柱状の空間を形成する内側面には、前記円柱状の空間に向かって突出する凸部が設けられており、前記本体の凸部を前記色見本の切欠き部の垂直部に挿入し、前記色見本または前記本体を回転させて、前記凸部を前記切欠き部の水平部へと移動させると、前記色見本が前記本体に固定されることを特徴とする。
【０００７】
前記本体の凸部を、前記色見本の接続部の切欠き部の水平部内に保持するために、前記水平部の垂直方向の幅を部分的に狭くした保持部が設けられている。
【０００８】
前記色見本は、前記色見本部と前記接続部との間に、外周が前記接続部の外側面より外側に突出している鍔部が設けられ、前記色見本が前記本体に固定された時、前記鍔部は前記本体の上端に載置されている。
【０００９】
前記色見本は、前記色見本部と前記接続部との間に、外周が前記接続部の外側面より外側に突出している鍔部が設けられ、前記本体の内側面の上端に環状の段差が設けられ、前記色見本が前記本体に固定された時、前記鍔部は前記本体の段差に載置されている。
【００１０】
前記棒状化粧料容器を繰り出し容器に固定するために、前記本体の下部にも円柱状の空間が形成され、前記円柱状の空間を形成する円形の内側面に、固定手段が設けられている。
【発明の効果】
【００１１】
本発明の棒状化粧料容器は、色見本および本体からなり、前記色見本は、前記本体の上部に着脱可能に取り付けられており、前記色見本は、色見本部、および、前記色見本部の下端に設けられた接続部からなり、前記接続部は円筒形状の外側面を有し、前記外側面には、前記外側面の下端から垂直方向に延伸する垂直部、および前記垂直部の上端から水平方向へと延伸する水平部からなる切欠き部が設けられ、前記本体は、内部の少なくとも上部に円柱状の空間を有し、前記円柱状の空間を形成する内側面には、前記円柱状の空間に向かって突出する凸部が設けられており、前記本体の凸部を前記色見本の切欠き部の垂直部に挿入し、前記色見本または前記本体を回転させて、前記凸部を前記切欠き部の水平部へと移動させると、前記色見本が前記本体に固定されることにより、展示している時には回転させない限り色見本は抜けることなく固定することができ、交換時には色見本だけを簡単な操作で交換することができるので、新色の棒状化粧料に合わせて新たな色見本だけを用意し、本体は再利用することが可能となる。
【００１２】
前記本体の凸部を、前記色見本の接続部の切欠き部の水平部内に保持するために、前記水平部の垂直方向の幅を部分的に狭くした保持部が設けられていることにより、前記色見本が確実に前記本体に固定される。
【００１３】
前記色見本は、前記色見本部と前記接続部との間に、外周が前記接続部の外側面より外側に突出している鍔部が設けられ、前記色見本が前記本体に固定された時、前記鍔部は前記本体の上端に載置されていることにより、前記色見本を、がたつくこと無く本体に安定した状態で固定することができる。
【００１４】
前記色見本は、前記色見本部と前記接続部との間に、外周が前記接続部の外側面より外側に突出している鍔部が設けられ、前記本体の内側面の上端に環状の段差が設けられ、前記色見本が前記本体に固定された時、前記鍔部は前記本体の段差に載置されていることにより、色見本が本体から突出しているように見せることができ、見た人に市販品の棒状化粧料容器の棒状化粧料と同じイメージを与えることができ、また、色見本をがたつくこと無く本体に固定することができる。  
【図面の簡単な説明】
【００１５】
【図１】（ａ）は第１の実施形態の見本用の棒状化粧料容器の斜視図であり、（ｂ）は本体から色見本を取り外した状態の第１の実施形態の見本用の棒状化粧料容器の斜視図である。
【図２】第１の実施形態の見本用の棒状化粧料容器の互いに直交する２方向の断面図である。
【図３】（ａ）は図２のＡ部拡大図であり、（ｂ）は図２のＢ部拡大図である。
【図４】第１の実施形態の見本用の棒状化粧料容器にテスター品を取り付けた状態の斜視図である。
【図５】第１の実施形態の見本用の棒状化粧料容器にテスター品を取り付けた状態の断面図である。
【図６】（ａ）は第２の実施形態の見本用の棒状化粧料容器の斜視図であり、（ｂ）は本体から色見本を取り外した状態の第２の実施形態の見本用の棒状化粧料容器の斜視図である。
【図７】第２の実施形態の見本用の棒状化粧料容器の互いに直交する２方向の断面図である。
【図８】（ａ）は図７のＣ部拡大図であり、（ｂ）は図７のＤ部拡大図である。
【図９】（ａ）は第３の実施形態の見本用の棒状化粧料容器の斜視図であり、（ｂ）は本体から色見本を取り外した状態の第３の実施形態の見本用の棒状化粧料容器の斜視図である。
【図１０】第３の実施形態の見本用の棒状化粧料容器の互いに直交する２方向の断面図である。
【図１１】（ａ）は図１０のＥ部拡大図であり、（ｂ）は図１０のＦ部拡大図である。
【発明を実施するための形態】
【００１６】
本発明の見本用の棒状化粧料容器について、図を用いて以下に詳細に説明する。本発明の見本用の棒状化粧料容器は、口紅などの棒状化粧料の色見本として展示するためのものであり、図１に示すのが、本発明の第１の実施形態の見本用の棒状化粧料容器１の斜視図であり、図２に示すのが見本用の棒状化粧料容器１の断面図である。
【００１７】
本発明の第１の実施形態の見本用の棒状化粧料容器１は、図１，図２に示すように、色見本２、および、前記色見本２が着脱可能に取り付けられる本体３からなる。前記色見本２の外観は、前記見本用の棒状化粧料容器１に取り付けられるテスター品の棒状化粧料に合わせて形成されており、本実施形態では口紅の形状に形成されている。前記色見本２の色は、販売される棒状化粧料の色に合わせて着色し、色数に合わせて用意する。
【００１８】
前記色見本２は、色見本部４、および、前記色見本部４の下端に設けられた接続部５からなり、前記色見本部４および前記接続部５は一体成形されている。前記色見本部４はテスター品の口紅の先端を斜めにカットした形状で中空に形成されている。前記色見本２の形状は特に限定するものではなく、口紅と同じ形状、あるいは、口紅とは全く異なる形状とすることも可能である。
【００１９】
前記接続部５は、前記本体３内に挿入し、前記色見本２を前記本体３に固定するために用いられることから、前記本体３内に挿入可能な円筒形状の外側面を有している。前記外側面には、図３（ａ）に示すような前記外側面の下端から垂直方向に延伸する垂直部６１、および前記垂直部６１の上端から水平方向へと延伸する水平部６２からなる切欠き部６が設けられており、前記水平部６２には突起６３が形成されることで、前記水平部６２は垂直方向の幅が部分的に狭くなっている。前記切欠き部６は、前記本体３の外側面に等間隔に２個形成されている。前記切欠き部６は、前記接続部５の外側面に開口として設けられているが、外側面に溝として形成することも可能である。
【００２０】
前記本体３は略円筒形状を呈し、内部に円柱状の空間を有し、前記円柱形状の空間を形成する内側面の上部には、前記円柱形状の空間の中心に向かって突出する凸部８が対向するように２個設けられている。前記凸部８は前記色見本２の接続部５の切欠き部６に挿入される大きさおよび形状であればよい。
【００２１】
そして、前記本体３の内側面の下部には、環状のリブ９が設けられている。前記リブ９は、前記見本用の棒状化粧料容器１を展示する際に、図４，図５に示すように、テスター品１０または実際に販売される市販品（商品）である繰り出し容器を前記見本用の棒状化粧料容器１に取り付けるために用いる固定手段である。そのため、前記リブ９は見本用の棒状化粧料容器１に取り付けるテスター品１０または実際に販売される市販品（商品）である繰り出し容器の取り付け箇所に合わせて構造を選択するものであり、構造、形状等については特に限定するものではない。また、前記繰り出し容器を取り付ける際の向きについても限定するものではなく、例えば、テスター品１０を、図４，５とは反対に、先端を下向きにした状態で、前記見本用の棒状化粧料容器１を取り付ける構造とし、そのための固定手段を設けることも可能である。
【００２２】
本発明の見本用の棒状化粧料容器１は、前記色見本２と前記本体３がそれぞれ別部材として形成されており、前記色見本２を前記本体３に取り付けることで、見本用の棒状化粧料容器１が完成する。次に、本発明の見本用の棒状化粧料容器１の組立方法について説明する。
【００２３】
まず初めに、図１（ｂ）の状態から、前記色見本２の接続部５を前記本体３内の円柱状の空間へと上から挿入する。この時、前記色見本２または前記本体３を回転させて、前記接続部５の切欠き部６の垂直部６１に、前記本体３の凸部８が挿入されるように位置合わせを行う。その後、さらに前記色見本２をさらに前記本体３内へと挿入すると、前記切欠き部６の垂直部６１内へと前記凸部８が挿入され、前記凸部８が前記垂直部６１内を上方へと移動する。
【００２４】
そして、前記凸部８が前記垂直部６１の上端に当接し、前記色見本２の垂直方向への移動が停止されると、次に前記凸部８を前記切欠き部６の水平部６２内を水平方向に移動させるために、前記色見本２または前記本体３を回転させる。この時、前記凸部８は、前記切欠き部６の突起６３を乗り越えながら前記切欠き部６の垂直部６２内を水平方向に移動する。その結果、図３（ａ）に示すように、前記凸部８は前記切欠き部６の水平部６２内に保持され、前記色見本２の接続部５が前記本体３に固定され、図１（ａ）に示すように、前記色見本２の前記本体３への取り付けが完了する。
【００２５】
前記色見本２が前記本体３に取り付けられた状態では、図３（ａ）に示すように、前記本体３の凸部８は、前記色見本２の切欠き部６の水平部６２内で、前記突起６３によって水平方向の移動が抑制されていることから、前記色見本２の前記本体３への固定は簡単に解除されない状態となっている。しかしながら、前記切欠き部６に前記突起６３が存在しないとしても、前記凸部８は前記水平部６２内に位置すると垂直方向に移動することができないことから、前記色見本２を回転させない限りは、前記色見本２は前記本体３から外れることは無く、前記見本用の棒状化粧料容器１を店頭に展示している状態では、特に問題が生じることはない。
【００２６】
前記色見本２を前記本体３から取り外す場合は、前記色見本２または前記本体３を回転させて、前記本体３の凸部８を、前記切欠き部６の水平部６２内で前記突起６３を乗り越えながら水平方向に移動させる。そして、前記凸部８が前記水平部６２の端部に当接し前記色見本２または前記本体３の回転が停止された時に、前記色見本２を前記本体３から離れる方向へと引っ張ると、前記本体３の凸部８は前記垂直部６１内を下方へと移動し、前記本体３の凸部８と前記色見本２の接続部５の切欠き部６との係合が解除され、前記色見本２は前記本体３から取り外され、図１（ｂ）の状態となる。
【００２７】
このように、本発明の見本用の棒状化粧料容器１は、色見本２と本体３とが互いに着脱可能な構造を用いていることから、前記色見本２を交換することができる。そのため、棒状化粧料に新色が出た場合に、新色の色見本２だけを新たに製造することで簡単に対応することができる。特に、棒状化粧料の色が変更された場合、従来であれば、不要となった見本用の棒状化粧料容器を廃棄し、新たな見本用の棒状化粧料容器を作成し交換していたが、本発明の見本用の棒状化粧料容器１は、色見本２だけを交換し、本体３は再利用することができる。
【００２８】
第１の実施形態の見本用の棒状化粧料容器１では、前記色見本２の切欠き部６および前記本体３の凸部８をそれぞれ２個ずつ設けた形態で説明したが、個数については特に限定するものではなく、前記色見本２の切欠き部６および前記本体３の凸部８の個数を、１個または２個以上とすることも可能である。また、前記色見本２の切欠き部６の個数を、前記本体３の凸部８の個数よりも多くすることも可能であり、この場合、前記色見本２を前記本体３に取り付ける際の回転動作の範囲を狭くすることができる。
【００２９】
次に、本発明の第２の実施形態の見本用の棒状化粧料容器１１について図６〜図８を用いて説明するが、図６〜図８は、テスター品を省略している。本発明の第２の実施形態の見本用の棒状化粧料容器１１は、図６，図７に示すように、色見本１２、および、前記色見本１２が着脱可能に取り付けられる本体１３からなる。
【００３０】
前記色見本１２は、色見本部１４、前記色見本部１４の下端に設けられた鍔部２０、前記鍔部２０の下側に設けられた接続部１５からなり、前記色見本部１４、前記鍔部２０、および、前記接続部１５は一体成形されている。前記色見本部１４は、第１の実施形態の色見本部４と同様に、テスター品の口紅の先端を斜めにカットした形状で中空に形成されている。
【００３１】
前記接続部１５は、前記本体１３内に挿入し、前記色見本１２を前記本体１３に固定するために用いられることから、前記本体１３内に挿入可能な円筒形状の外側面を有している。前記外側面には、図８（ａ）に示すような前記外側面の下端から垂直方向に延伸する垂直部６１’、および前記垂直部６１’の上端から水平方向へと延伸する水平部６２’からなる切欠き部１６が設けられている。前記切欠き部１６は、前記本体１３の外側面に等間隔で２個形成されている。
【００３２】
前記鍔部２０は、前記接続部１５よりも径の大きいリング状であり、外周が前記接続部１５の外側面より外側に突出しており、図７に示すように、前記鍔部２０は、外周が前記本体１３の外側面の外周と同じ大きさとなるように形成されている。前記接続部１５は、前記鍔部２０の底面から下方に延伸するように形成されている。
【００３３】
前記本体１３は、第１の実施形態の本体３と同じ構造であり、略円筒形状を呈し、内部に円柱状の空間を有し、前記円柱形状の空間を形成する内側面の上部には、前記円柱形状の空間の中心に向かって突出する凸部１８が対向するように２個設けられている。そして、前記本体１３の内側面の下部には、テスター品または実際に販売される市販品（商品）である繰り出し容器（図示せず）を取り付けるための固定手段として環状のリブ１９が設けられている。
【００３４】
第２の実施形態の見本用の棒状化粧料容器１１は、上述のような構造を有することにより、第１の実施形態と同様に、前記色見本１２は、前記本体１３に着脱可能に取り付けられる。これにより、第１の実施形態の見本用の棒状化粧料容器１と同様の効果を奏する。
【００３５】
第２の実施形態の見本用の棒状化粧料容器１１は、図７，図８（ｂ）に示すように、前記色見本１２の鍔部２０が、前記本体１３の上端に載置されている。これにより、前記色見本１２は、前記本体１３に対して、がたつくこと無く安定した状態で固定することができるという新たな効果を奏する。また、鍔部２０が露出されていることで、色見本１２が、第１の実施形態の色見本２よりも広範囲に見えることになり、見た人に異なる印象を与えることができる。
【００３６】
次に、第３の実施形態の見本用の棒状化粧料容器２１について図９〜図１１を用いて説明するが、図６〜図８は、テスター品を省略している。本発明の第３の実施形態の見本用の棒状化粧料容器２１は、図９，図１０に示すように、色見本２２、および、前記色見本２２が着脱可能に取り付けられる本体２３からなる。
【００３７】
前記色見本２２は、色見本部２４、前記色見本部２４の下端に設けられた鍔部３０、前記鍔部３０の下側に設けられた接続部２５からなり、前記色見本部２４、前記鍔部３０、および、前記接続部２５は一体成形されている。前記色見本部２４は、第１の実施形態の色見本部４と同様に、テスター品の口紅の先端を斜めにカットした形状で中空に形成されている。
【００３８】
前記接続部２５は、前記本体２３内に挿入し、前記色見本２２を前記本体２３に固定するために用いられることから、前記本体２３内に挿入可能な円筒形状の外側面を有している。前記外側面には、図１１（ａ）に示すような前記外側面の下端から垂直方向に延伸する垂直部６１’’、および前記垂直部６１’’の上端から水平方向へと延伸する水平部６２’’からなる切欠き部２６が設けられている。前記切欠き部２６は、前記本体３３の外側面に等間隔となるように２個形成されている。
【００３９】
前記鍔部３０は、前記接続部２５よりも径の大きいリング状であり、外周が前記接続部２５の外側面より外側に突出しているが、第２の実施形態の鍔部２０とは異なり、図８に示すように、前記鍔部３０は、外周が前記本体２３の外側面の外周よりも小さくなるように形成されている。そして、前記接続部２５は、前記鍔部３０の底面から下方に延伸するように形成されている。
【００４０】
前記本体２３は、略円筒形状を呈し、内部に円柱状の空間を有し、前記円柱形状の空間を形成する内側面の上部には、前記円柱形状の空間の中心に向かって突出する凸部２８が対向するように２個設けられている。さらに、前記本体２３の内側面の上端には、図９（ｂ）に示すように、環状の段差３１が設けられている。前記環状の段差３１は、図１１（ｂ）に示すように、前記鍔部３０の一部（前記接続部２５の外側面より外側に突出している部分）が収容される大きさに形成されている。そして、前記本体２３の内側面の下部には、テスター品または実際に販売される市販品（商品）である繰り出し容器（図示せず）を取り付けるための固定手段として環状のリブ２９が設けられている。
【００４１】
第３の実施形態の見本用の棒状化粧料容器２１は、第１の実施形態と同様に、前記色見本２２が前記本体２３に着脱可能に取り付けられる構造を有していることにより、第１の実施形態の見本用の棒状化粧料容器１と同様の効果を奏する。
【００４２】
第３の実施形態の見本用の棒状化粧料容器２１は、図１０，図１１（ｂ）に示すように、前記本体２３の上端ではなく段差３１の上に載置することにより、前記色見本２２は、前記本体２３に対して、がたつくこと無く安定した状態で固定することができるという、第２の実施形態と同様の効果を奏する。また、前記色見本２２が本体２３から突出しているように見せることができるので、見た人に市販品の棒状化粧料と同じイメージを与えることができるという効果を奏する。
【００４３】
本発明は、見本用の棒状化粧料容器を、着脱可能な２つの部材、色見本と本体から構成することで、新色の棒状化粧料に合わせて新たな色見本だけを用意することで、本体を再利用することが可能になるという効果を奏する。
【符号の説明】
【００４４】
１，１１，２１    見本用の棒状化粧料容器
２，１２，２２    色見本
３，１３，２３    本体
４，１４，２４    色見本部
５，１５，２５    接続部
６，１６，２６    切欠き部
８，１８，２８    凸部
９，１９，２９    リブ
１０              テスター品
２０，３０        鍔部
３１              段差
６１，６１’，６１’’  垂直部
６２，６２’，６２’’  水平部
６３，６３’，６３’’  突起
【図１】
2018153233.tif 000003
【図２】
2018153233.tif 000004
【図３】
2018153233.tif 000005
【図４】
2018153233.tif 000006
【図５】
2018153233.tif 000007
【図６】
2018153233.tif 000008
【図７】
2018153233.tif 000009
【図８】
2018153233.tif 000010
【図９】
2018153233.tif 000011
【図１０】
2018153233.tif 000012
【図１１】
2018153233.tif 000013